【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  上シェル及び下シェルを重ね合わせることによって内部にディスク収納室が形成されるカートリッジ筐体と、
上記ディスク収納室の一部を露出させるため上記カートリッジ筐体に設けた開口部を開閉するシャッタ部材と、を備えたディスクカートリッジにおいて、
上記上シェル又は上記下シェルに、上記重ね合わせる部分において他方のシェル側に突出するラベル貼付壁と、当該ラベル貼付壁の表面から当該シェルの表面に掛けて展開される１つの平面をなすラベル貼付面とを設けた
ことを特徴とするディスクカートリッジ。
【請求項２】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁との接触を避けるための凹部を他方のシェルに設けた
ことを特徴とする請求項１記載のディスクカートリッジ。
【請求項３】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁の背面側に配置される背面壁を他方のシェルの周縁部に設けた
ことを特徴とする請求項１記載のディスクカートリッジ。
【請求項４】  上記ラベル貼付壁は、上記下シェルの後面を囲う後面周縁部に連続させて設けると共に、当該ラベル貼付壁を避けるための凹部は、上記上シェルの後面を囲う後面周縁部に設けた
ことを特徴とする請求項２記載のディスクカートリッジ。
【請求項５】  上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室の一部を露出させるため上記カートリッジ筐体に設けた開口部を開閉するシャッタ部材と、を備えたディスクカートリッジにおいて、
上記上シェル又は上記下シェルに、上記重ね合わせる部分において他方のシェル側に突出するラベル貼付壁と、当該ラベル貼付壁の表面から当該シェルの表面に掛けて展開される１つの平面をなすラベル貼付面とを設けた
ことを特徴とするディスクカートリッジ。
【請求項６】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁との接触を避けるための凹部を他方のシェルに設けた
ことを特徴とする請求項５記載のディスクカートリッジ。
【請求項７】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁の背面側に配置される背面壁を他方のシェルの周縁部に設けた
ことを特徴とする請求項５記載のディスクカートリッジ。
【請求項８】  上記ラベル貼付壁は、上記下シェルの後面を囲う後面周縁部に連続させて設けると共に、当該ラベル貼付壁を避けるための凹部は、上記上シェルの後面を囲う後面周縁部に設けた
ことを特徴とする請求項６記載のディスクカートリッジ。
【請求項９】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項５記載のディスクカートリッジ。
【請求項１０】  上シェル及び下シェルを重ね合わせることによって内部にディスク収納室が形成されるカートリッジ筐体と、
上記ディスク収納室内に回転自在に収納されると共に上記上シェル又は上記下シェルに設けた開口部から一部が露出されるディスク状記録媒体と、
上記開口部を開閉するシャッタ部材と、を備えたディスク記録媒体装置において、
上記上シェル又は上記下シェルに、上記重ね合わせる部分において他方のシェル側に突出するラベル貼付壁と、当該ラベル貼付壁の表面から当該シェルの表面に掛けて展開される１つの平面をなすラベル貼付面とを設けた
ことを特徴とするディスク記録媒体装置。
【請求項１１】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁との接触を避けるための凹部を他方のシェルに設けた
ことを特徴とする請求項１０記載のディスク記録媒体装置。
【請求項１２】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁の背面側に配置される背面壁を他方のシェルの周縁部に設けた
ことを特徴とする請求項１０記載のディスク記録媒体装置。
【請求項１３】  上記ラベル貼付壁は、上記下シェルの後面を囲う後面周縁部に連続させて設けると共に、当該ラベル貼付壁を避けるための凹部は、上記上シェルの後面を囲う後面周縁部に設けた
ことを特徴とする請求項１１記載のディスク記録媒体装置。
【請求項１４】  上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に回転自在に収納されると共に上記中シェル及び上記上シェル又は上記下シェルに設けた開口部から一部が露出されるディスク状記録媒体と、
上記開口部を開閉するシャッタ部材と、を備えたディスク記録媒体装置において、
上記上シェル又は上記下シェルに、上記重ね合わせる部分において他方のシェル側に突出するラベル貼付壁と、当該ラベル貼付壁の表面から当該シェルの表面に掛けて展開される１つの平面をなすラベル貼付面とを設けた
ことを特徴とするディスク記録媒体装置。
【請求項１５】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁との接触を避けるための凹部を他方のシェルに設けた
ことを特徴とする請求項１４記載のディスク記録媒体装置。
【請求項１６】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁の背面側に配置される背面壁を他方のシェルの周縁部に設けた
ことを特徴とする請求項１４記載のディスク記録媒体装置。
【請求項１７】  上記ラベル貼付壁は、上記下シェルの後面を囲う後面周縁部に連続させて設けると共に、当該ラベル貼付壁を避けるための凹部は上記上シェルの後面を囲う後面周縁部に設けた
ことを特徴とする請求項１５記載のディスク記録媒体装置。
【請求項１８】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項１４記載のディスク記録媒体装置。
【請求項１９】  カートリッジ筐体に形成されたディスク収納室内にディスク状記録媒体が回転自在に収納されると共に当該ディスク状記録媒体の一部を露出させるため上記カートリッジ筐体に設けた開口部がシャッタ部材によって開閉自在とされたディスク記録媒体装置と、
上記ディスク記録媒体装置の挿脱動作に応じて上記シャッタ部材を移動させて上記開口部を開閉させるシャッタ開閉手段と、
上記ディスク記録媒体装置が着脱可能に装着されると共に当該ディスク記録媒体装置の装着時、上記シャッタ開閉手段で開放された上記開口部から挿入されて上記ディスク状記録媒体をチャッキングして回転駆動するディスクドライブ装置と、を備えたディスク記録再生装置において、
上記カートリッジ筐体は、上シェル及び下シェルを重ね合わせ又は上シェル、中シェル及び下シェルを重ね合わせることによって構成されると共に上シェル及び下シェル内又は上シェル及び中シェル内若しくは中シェル及び下シェル内に上記ディスク収納室が形成され、上記上シェル又は下シェルに、上記重ね合わせる部分において他方のシェル側に突出するラベル貼付壁と、当該ラベル貼付壁の表面から当該シェルの表面に掛けて展開される１つの平面をなすラベル貼付面とを設けた
ことを特徴とするディスク記録再生装置。
【請求項２０】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁との接触を避けるための凹部を他方のシェルに設けた
ことを特徴とする請求項１９記載のディスク記録再生装置。
【請求項２１】  上記上シェル及び上記下シェルは、それぞれ外周縁の略全体を囲うように設けられた周縁部を有し、当該上シェル又は下シェルの周縁部に上記ラベル貼付壁を設け、当該ラベル貼付壁の背面側に配置される背面壁を他方のシェルの周縁部に設けた
ことを特徴とする請求項１９記載のディスク記録再生装置。
【請求項２２】  上記ラベル貼付壁は、上記下シェルの後面を囲う後面周縁部に連続させて設けると共に、当該ラベル貼付壁を避けるための凹部は上記上シェルの後面を囲う後面周縁部に設けた
ことを特徴とする請求項２０記載のディスク記録再生装置。
【請求項２３】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項１９記載のディスク記録再生装置。
【請求項２４】  上記シャッタ開閉手段はラック部と当該ラック部の前後に配置された凸部とを有し、
上記中シェルは上記ラック部に噛合されるギア部と当該ギア部の前後に配置された凹部とを有し、
上記シャッタ開閉手段の進退運動に基づいて上記中シェルに回転運動を付与するようにした
ことを特徴とする請求項１９記載のディスク記録再生装置。
【手続補正２】
【補正対象書類名】明細書
【補正対象項目名】０００７
【補正方法】変更
【補正の内容】
【０００７】
【課題を解決するための手段】
上述したような課題等を解決し、上記目的を達成するために、本出願のディスクカートリッジは、上シェル及び下シェルを重ね合わせることによって内部にディスク収納室が形成されるカートリッジ筐体と、ディスク収納室の一部を露出させるためカートリッジ筐体に設けた開口部を開閉するシャッタ部材と、を備えたディスクカートリッジにおいて、上シェル又は下シェルに、重ね合わせる部分において他方のシェル側に突出するラベル貼付壁と、このラベル貼付壁の表面からシェルの表面に掛けて展開される１つの平面をなすラベル貼付面とを設けたことを特徴としている。
【手続補正３】
【補正対象書類名】明細書
【補正対象項目名】０００８
【補正方法】変更
【補正の内容】
【０００８】
更に、本出願のディスクカートリッジは、上シェル、中シェル及び下シェルを重ね合わせることによって上シェル及び中シェル内又は中シェル及び下シェル内にディスク収納室が形成されると共に中シェルが上シェル及び下シェルによって回転自在に支持されたカートリッジ筐体と、ディスク収納室の一部を露出させるためカートリッジ筐体に設けた開口部を開閉するシャッタ部材と、を備えたディスクカートリッジにおいて、上シェル又は下シェルに、重ね合わせる部分において他方のシェル側に突出するラベル貼付壁と、このラベル貼付壁の表面からシェルの表面に掛けて展開される１つの平面をなすラベル貼付面とを設けたことを特徴としている。
【手続補正４】
【補正対象書類名】明細書
【補正対象項目名】０００９
【補正方法】変更
【補正の内容】
【０００９】
本出願のディスク記録媒体装置は、上シェル及び下シェルを重ね合わせることによって内部にディスク収納室が形成されるカートリッジ筐体と、ディスク収納室内に回転自在に収納されると共に上シェル又は下シェルに設けた開口部から一部が露出されるディスク状記録媒体と、開口部を開閉するシャッタ部材と、を備えたディスク記録媒体装置において、上シェル又は下シェルに、重ね合わせる部分において他方のシェル側に突出するラベル貼付壁と、このラベル貼付壁の表面からシェルの表面に掛けて展開される１つの平面をなすラベル貼付面とを設けたことを特徴としている。
【手続補正５】
【補正対象書類名】明細書
【補正対象項目名】００１０
【補正方法】変更
【補正の内容】
【００１０】
更に、本出願のディスク記録媒体装置は、上シェル、中シェル及び下シェルを重ね合わせることによって上シェル及び中シェル内又は中シェル及び下シェル内にディスク収納室が形成されると共に中シェルが上シェル及び下シェルによって回転自在に支持されたカートリッジ筐体と、ディスク収納室内に回転自在に収納されると共に中シェル及び上シェル又は下シェルに設けた開口部から一部が露出されるディスク状記録媒体と、開口部を開閉するシャッタ部材と、を備えたディスク記録媒体装置において、上シェル又は下シェルに、重ね合わせる部分において他方のシェル側に突出するラベル貼付壁と、このラベル貼付壁の表面から当該シェルの表面に掛けて展開される１つの平面をなすラベル貼付面とを設けたことを特徴としている。
【手続補正６】
【補正対象書類名】明細書
【補正対象項目名】００１１
【補正方法】変更
【補正の内容】
【００１１】
また、本出願のディスク記録再生装置は、カートリッジ筐体に形成されたディスク収納室内にディスク状記録媒体が回転自在に収納されると共にディスク状記録媒体の一部を露出させるためカートリッジ筐体に設けた開口部がシャッタ部材によって開閉自在とされたディスク記録媒体装置と、このディスク記録媒体装置の挿脱動作に応じてシャッタ部材を移動させて開口部を開閉させるシャッタ開閉手段と、ディスク記録媒体装置が着脱可能に装着されると共にディスク記録媒体装置の装着時、シャッタ開閉手段で開放された開口部から挿入されてディスク状記録媒体をチャッキングして回転駆動するディスクドライブ装置と、を備えたディスク記録再生装置において、カートリッジ筐体は、上シェル及び下シェルを重ね合わせ又は上シェル、中シェル及び下シェルを重ね合わせることによって構成されると共に上シェル及び下シェル内又は上シェル及び中シェル内若しくは中シェル及び下シェル内にディスク収納室が形成され、上シェル又は下シェルに、重ね合わせる部分において他方のシェル側に突出するラベル貼付壁と、このラベル貼付壁の表面からシェルの表面に掛けて展開される１つの平面をなすラベル貼付面とを設けたことを特徴としている。
【手続補正７】
【補正対象書類名】明細書
【補正対象項目名】０１６０
【補正方法】変更
【補正の内容】
【０１６０】
【発明の効果】
以上説明したように、本出願のディスクカートリッジによれば、ディスク収納室を有するカートリッジ筐体（上シェルと下シェルとの組み合わせ又は上シェルと中シェルと下シェルとの組み合わせ）と開口部を開閉するシャッタ部材とを備えたディスクカートリッジにおいて、上シェル及び下シェルの互いに重ね合わせる部分の一方に、他方のシェル側に突出するラベル貼付壁を設け、そのラベル貼付壁から一方のシェルに掛けて展開された１つの平面をなすラベル貼付面を設ける構成とした。